(57)【要約】【課題】利用者の行動を誘導する。【解決手段】音源情報記憶部１１０は、発音手段１９０から再生する音源を示す音源情報と、当該音源情報を一意に特定する音源識別子とを関連付けて記憶する。判定規則記憶部１７０は、所定の判定情報に対する条件を表す判定条件と、音源識別子とを関連付けて記憶する。情報受信部１２０は、判定情報を収集する。状況判定部１３０は、判定情報が判定条件に合致するか否かを判定し、判定情報が合致する判定条件に関連付けられた音源識別子を抽出する。音源選出部１４０は、状況判定部１３０が抽出した音源識別子に関連付けられた音源情報に基づいて、音源を取得する。音源再生部１５０は、音源選出部１４０が出力した音源を、発音手段１９０から再生する。【選択図】図１
2013246280.tif 000002
【特許請求の範囲】
【請求項１】
発音手段と、
所定の音源の再生方法を示す音源情報と、当該音源情報を一意に特定する音源識別子とを関連付けて記憶する音源情報記憶部と、
所定の判定情報に対する条件を表す判定条件と、前記音源識別子とを関連付けて記憶する判定規則記憶部と、
前記判定情報を収集する情報受信部と、
前記判定情報が前記判定条件に合致するか否かを判定する状況判定を行い、前記判定情報が合致する前記判定条件に関連付けられた前記音源識別子を抽出する状況判定部と、
前記状況判定部が抽出した前記音源識別子に関連付けられた前記音源情報に基づいて、前記音源を出力する音源選出部と、
前記音源選出部が出力した前記音源を、前記発音手段から再生する音源再生部と、
を備える音再生装置。
【請求項２】
請求項１に記載の音再生装置であって、
ICチップに記憶された情報を読み取る読取手段をさらに備え、
前記状況判定部は、
前記読取手段が前記ICチップに記憶された情報を読み取ったことを契機として、前記状況判定を行う
ことを特徴とする音再生装置。
【請求項３】
請求項２に記載の音再生装置であって、
前記ICチップは、非接触型ICチップである
ことを特徴とする音再生装置。
【請求項４】
請求項１から３のいずれかに記載の音再生装置であって、
前記判定情報は、
時刻、平均利用間隔、運行状況、交通状況、天候情報のいずれかを含む
ことを特徴とする音再生装置。
【請求項５】
発音手段から再生する音源を示す音源情報と、当該音源情報を一意に特定する音源識別子とを関連付けて記憶する音源記憶ステップと、
所定の判定情報に対する条件を表す判定条件と、前記音源識別子とを関連付けて記憶する判定規則記憶ステップと、
前記判定情報を収集する情報受信ステップと、
前記判定情報が前記判定条件に合致するか否かを判定する状況判定を行い、前記判定情報が合致する前記判定条件に関連付けられた前記音源識別子を抽出する状況判定ステップと、
前記状況判定ステップにより抽出された前記音源識別子に関連付けられた前記音源情報に基づいて、前記音源を出力する音源選出ステップと、
前記音源選出ステップにより出力された前記音源を、前記発音手段から再生する音源再生ステップと、
を有する音再生方法。
【請求項６】
請求項１から４のいずれかに記載の音再生装置としてコンピュータを機能させるためのプログラム。
【発明の詳細な説明】
【技術分野】
【０００１】
この発明は、音・音声により利用者の行動を誘導するための音再生技術に関する。
【背景技術】
【０００２】
近年、電車・バス等の乗車券、電子マネー、ポイントカード等の用途でICチップの利用が進展している。利用者はICチップが埋め込まれたICカードや携帯電話等のICチップ埋込媒体を、ICチップリーダー／ライターが内蔵された自動改札機やコンビニエンスストアのレジ端末等の機器に読み取らせることにより、運賃の精算や代金の支払など所望の操作を行うことができる。ICチップは読み書き方式により接触型と非接触型とに分類されるが、特に非接触型ICチップでは、ICチップリーダー／ライターがICチップの情報を正常に読み取ったか否かを利用者が確認し難いため、ICチップリーダー／ライターがICチップの情報を正常に読み取った際に、そのことを利用者に通知するための帰還音が再生されることが一般的となっている。
【０００３】
非特許文献１には、ICチップをICチップリーダー／ライターに読み込ませる等の操作をする場面において、再生される帰還音（非特許文献１中では「通過音」と記載）を自分の好きな音にカスタマイズできるシステムの提案が記載されている。非特許文献１には、携帯電話をICチップ埋込媒体として、携帯電話のスピーカーからカスタマイズした帰還音が再生される構成としたシステムAと、携帯電話にインストールしたアプリケーションからあらかじめ好みの帰還音を選択し、ICチップリーダー／ライターにICチップを読み込ませた際に、選択した帰還音がICチップリーダー／ライターを内蔵した機器のスピーカーから再生される構成としたシステムBが提案されている。システムBにおいては、ICチップリーダー／ライターを内蔵した機器は、音源情報を持つと共に、ICチップを通じて渡されるIDに応じて音源を選択し、その音源を再生する機能を有する。ICチップを内蔵した携帯電話は、音源に応じたIDを選択する機能を持ち、ICチップリーダー／ライターにICチップを読み込ませた際に選択したIDを受け渡す。このようにして、ICチップリーダー／ライターを内蔵した機器に特定の音源を再生させることができる。
【０００４】
一方、非特許文献２には、音・音声によって行動誘導効果が認められることが記載されている。行動誘導効果とは、人間の行動を無意識に変化させる効果である。非特許文献２では、音楽によって無意識に歩くスピードを変化させる事例などが紹介されている。
【先行技術文献】
【非特許文献】
【０００５】
【非特許文献１】六反孝幸、鈴木雅陽、小川克彦、“オトノリ：駅の自動改札機を自分の好きな音で通り抜けるマイクロサウンド・デザイン”、ヒューマンインタフェースシンポジウム2008、ヒューマンインタフェース学会、2008年9月
【非特許文献２】齋藤寛、“心を動かす音の心理学”、ヤマハミュージックメディア、2011年5月
【発明の概要】
【発明が解決しようとする課題】
【０００６】
ICチップをICチップリーダー／ライターに読み込ませる等の操作をする場面において、利用者が急いでいて気が急いているなど特定の心理状態に置かれていると、利用者の行動が性急となる場合がある。また、そのような心理状態の人が多くいるような場面では、利用者の性急な行動が原因となって互いに接触するなどの危険な状況が発生する場合がある。このような状況は施設運営側にとっては望ましくない状況である。一方、利用者の素早い行動を促し、スムースに利用者を誘導したい状況が発生する場合もある。
【０００７】
この発明はこのような点に鑑みてなされたものであり、ICチップリーダー／ライターを内蔵した機器のICチップ読み取り時の帰還音を制御し、利用者の性急な行動を抑制したり、スムースな行動を誘導したりするなど、利用者の行動を誘導することができる音再生技術を提供することを目的とする。
【課題を解決するための手段】
【０００８】
上記の課題を解決するために、この発明の音再生装置は、発音手段と音源情報記憶部と判定規則記憶部と情報受信部と状況判定部と音源選出部と音源再生部とを備える。音源情報記憶部は、発音手段から再生する音源を示す音源情報と、当該音源情報を一意に特定する音源識別子とを関連付けて記憶する。判定規則記憶部は、所定の判定情報に対する条件を表す判定条件と、音源識別子とを関連付けて記憶する。情報受信部は、判定情報を収集する。状況判定部は、判定情報が判定条件に合致するか否かを判定する状況判定を行い、判定情報が合致する判定条件に関連付けられた音源識別子を抽出する。音源選出部は、状況判定部が抽出した音源識別子に関連付けられた音源情報に基づいて、前記音源を出力する。音源再生部は、音源選出部が出力した音源を、発音手段から再生する。
【発明の効果】
【０００９】
この発明の音再生技術によれば、周囲の状況に応じて再生する帰還音を制御することで利用者の行動を誘導することができる。その結果、施設の安定運営に寄与することができる。
【図面の簡単な説明】
【００１０】
【図１】音再生装置の構成例を示すブロック図。
【図２】音再生装置の動作例を示すフローチャート。
【図３】判定規則記憶部の構成例を説明するための図。
【図４】音源情報記憶部の構成例を説明するための図。
【図５】判定情報記憶部の構成例を説明するための図。
【発明を実施するための形態】
【００１１】
以下、この発明の実施の形態について詳細に説明する。なお、図面中において同じ機能を有する構成部には同じ番号を付し、重複説明を省略する。
【００１２】
［第１実施形態］
＜概要＞
まず、この発明の第１実施形態の概要について説明する。第１実施形態に係る音再生装置１０は、ICチップリーダー／ライターがICチップの情報を読み取った際に再生される帰還音を、周囲の状況に応じて制御する。周囲の状況とは、音再生装置１０が利用される施設における現在の混雑状況や、今後の混雑状況を予想できる事象などである。この実施形態の音再生装置１０は、現実に混雑している場合、もしくは今後の混雑が予想される場合などに、周囲の状況に応じて適切な帰還音を再生することで、利用者の性急な行動を抑制したり、利用者のスムースな行動を誘導したりすることができる。
【００１３】
＜構成＞
図１を参照して、第１実施形態の音再生装置１０とその周辺機器の構成例について詳細に説明する。音再生装置１０は、読取手段１１０と情報受信部１２０と状況判定部１３０と音源選出部１４０と音源再生部１５０と判定情報記憶部１６０と判定規則記憶部１７０と音源情報記憶部１８０と発音手段１９０とを備える。音再生装置１０の周辺機器にはICチップ埋込媒体２０と複数の情報提供手段３０1〜３０nが含まれる。ICチップ埋込媒体２０にはICチップ２１０が内蔵されている。情報提供手段３０1〜３０nは取り扱う情報により構成が異なる。情報提供手段３０1〜３０nについての詳細は後述する。
【００１４】
判定情報記憶部１６０と判定規則記憶部１７０と音源情報記憶部１８０は、例えば、ＲＡＭ（Random Access Memory）や、フラッシュメモリ（Flash Memory）などの半導体メモリ素子、リレーショナルデータベースやキーバリューストアなどのミドルウェア、又は、ハードディスクや光ディスクなどの補助記憶装置により構成することができる。この実施形態では、判定情報記憶部１６０をＲＡＭにより構成し、判定規則記憶部１７０と音源情報記憶部１８０をリレーショナルデータベースにより構成した場合を例として説明する。
【００１５】
ICチップ埋込媒体２０は、ICチップを埋め込むことができる媒体であればいずれでもよい。例えば、ICカードや携帯電話、スマートフォンなどが考えられる。
【００１６】
ICチップ２１０は、情報の記録や演算を行うための集積回路である。読み書き方式により接触型と非接触型とに分類され、それぞれ様々な規格が標準化されている。この実施形態では、非接触型ICチップで構成した場合を例として説明するが、この発明ではICチップの規格は問わず適用可能である。
【００１７】
＜動作＞
図２を参照して、第１実施形態の音再生装置１０の動作例について手続きの順に従って詳細に説明する。
【００１８】
判定規則記憶部１７０には、所定の判定情報に対する条件を表す判定条件と音源識別子とが関連付けてあらかじめ記憶されている。判定情報とは、状況判定部１３０が状況判定を行うために使用する情報である。例えば、時刻、平均利用間隔、運行状況、交通状況、天候情報などが考えられる。音源識別子は、後述する音源情報記憶部１８０に記憶されている音源識別子のいずれかが設定される。
【００１９】
判定情報について、より詳細に説明する。時刻とは、現在の時刻である。平均利用間隔とは、現在までに読取手段１１０がICチップ２１０の情報を読み取った間隔の平均値である。運行状況とは、音再生装置１０が鉄道の自動改札機として利用されている場合に、その路線や近隣の相互乗入路線等が運行ダイヤ通りに運行されているか否かを示す情報である。例えば、運行ダイヤ通りに運行されている場合には「平常」、数分の遅延が生じている場合には「遅延」、運行が停止している場合には「停止」などを示す離散値とすることが考えられる。交通状況とは、音再生装置１０がバスの料金支払機として利用されている場合に、その路線が通過する道路の混雑状況を示す情報である。例えば、制限時速40kmの一般道において通行する車両の平均時速が20kmを超える場合は「平常」、平均時速が20km以下であれば「混雑」、平均時速が10km以下であれば「渋滞」などを示す離散値とすることが考えられる。天候情報とは、音再生装置１０が利用される地域の天候を表す情報である。例えば、「晴れ」「曇」「雨」などを示す離散値である。運行状況、交通状況、天候情報がとり得る離散値はあらかじめ定義されているものとする。判定条件は、判定情報に対する条件を表す情報である。時刻や平均利用間隔などのように連続値をとる情報に対しては、始点と終点を指定する。運行状況や交通状況、天候情報などのようにあらかじめ定められた離散値をとる情報に対しては、いずれかの離散値を指定する。
【００２０】
図３に判定規則記憶部１７０に記憶される情報の一例を示す。上述のように、この実施形態では判定規則記憶部１７０をリレーショナルデータベースとして構成した場合を例として説明する。したがって、判定規則記憶部１７０に記憶される情報は、判定条件１７１と音源識別子１７２をカラムに持つテーブルとして構成される。判定条件１７１は、各判定情報の要素に対応するカラムの集合である。時刻は、始点と終点のカラムを有しており、判定情報の時刻が始点に設定された時刻より後であり、かつ終点に設定された時刻より前であれば、判定条件に合致することを表す。平均利用間隔も時刻と同様に、始点と終点のカラムを有しており、判定情報の平均利用間隔が始点に設定された値より大きく、かつ終点に設定された値より前であれば、判定条件に合致することを表す。運行状況は、判定情報の運行状況が設定された値と等しければ判定条件に合致することを表す。天候情報も運行状況と同様に、判定情報の天候情報が設定された値と等しければ判定条件に合致することを表す。音源識別子１７２は、関連付けられた判定条件が合致した場合に再生する音源を特定するための情報である。例えば、レコード１７０１であれば、現在時刻が「7:00から9:00まで」であり、現在の平均利用間隔が「1秒以上3秒未満」であり、現在の運行状況が「平常」であり、現在の天候情報が「晴れ」であれば、音源識別子「001」により特定される音源を再生することを表している。判定条件１７１は、判定情報が取り得るすべての組み合わせに対して、合致する判定条件が複数とならないように設定しなければならない。
【００２１】
音源情報記憶部１８０には、音源情報と音源識別子とが関連付けてあらかじめ記憶されている。音源情報とは、発音手段１９０から再生する音源に関する情報である。この実施形態における音源は、後述する音源再生部１５０が再生可能な音源であればいかなる音源でもよい。例えば、音・音声をデジタル化した音源データファイルである。音をデジタル化する方式は、wav形式やmp3形式など様々な規格が提案されているが、音源再生部１５０が再生可能であればいかなる方式でも適用可能である。音源を音源データファイルとして構成した場合には、音源情報は音源データファイルのファイル名やファイルパスなど、その音源データファイルの位置を一意に特定できる情報とすればよい。音源識別子とは、音源情報記憶部１８０において音源情報を一意に特定する情報である。
【００２２】
図４に音源情報記憶部１８０に記憶される情報の一例を示す。上述のように、この実施形態では音源情報記憶部１８０をリレーショナルデータベースとして構成した場合を例として説明する。したがって、音源情報記憶部１８０に記憶される情報は、音源識別子１８１と音源情報１８２をカラムに持つテーブルとして構成される。音源識別子１８１は音源を一意に特定する情報が設定される。音源情報１８２は音源を示す情報である。この例では、音源が音源データファイルであり、すべての音源データファイルが一意のファイル名を有しているものとする。例えば、レコード１８０１であれば、音源識別子「001」はファイル名が「001.wav」の音源データファイルであることを表している。
【００２３】
情報提供手段３０1〜３０nは、現在の判定情報を収集し、音再生装置１０へ提供する。情報提供手段３０1〜３０nは、それぞれが収集する判定情報の種類が異なっている。そのため、少なくとも必要とする判定情報の種類と同数を用意することになる。ここでは、情報提供手段３０1が判定情報として時刻を提供し、情報提供手段３０2が判定情報として平均利用間隔を提供し、情報提供手段３０3が判定情報として運行状況を提供し、情報提供手段３０4が判定情報として交通状況を提供し、情報提供手段３０5が判定情報として天候情報を提供するものとする。情報提供手段３０1は、例えば、自身のシステム時刻、インターネットで公開されるNTPサーバ、標準周波数報時電波などから現在時刻を取得する。情報提供手段３０2は、例えば、読取手段１１０がICチップ２１０の情報を読み取った回数を計数し、所定の期間内にICチップ２１０の情報を読み取った回数から平均利用間隔を算出する。情報提供手段３０3は、例えば、鉄道会社もしくは鉄道運行情報提供事業者が運用する運行状況提供サービスなどから、該当路線の運行状況を取得する。運行状況の取得方法は情報を提供する運行状況提供サービスの仕様に依存するためここでは詳述しない。情報提供手段３０4は、例えば、交通情報提供事業者が運用する交通情報提供サービスなどから、周辺地域の道路に関する交通状況を取得する。交通状況の取得方法は情報を提供する交通情報提供サービスの仕様に依存するためここでは詳述しない。情報提供手段３０5は、例えば、気象情報会社が運用する気象情報提供サービスなどから、周辺地域の天候情報を取得する。天候情報の取得方法は情報を提供する気象情報提供サービスの仕様に依存するためここでは詳述しない。
【００２４】
情報提供手段３０1〜３０nは取得した情報を音再生装置１０へ提供する。情報提供の方法は、情報提供手段３０1〜３０nがいずれかの判定情報を取得した際に取得した判定情報をプッシュして送信してもよいし、外部から受信する判定情報の取得要求に応じて、現在の判定情報を返信として送信してもよい。
【００２５】
情報受信部１２０は、複数の情報提供手段３０1〜３０nからそれぞれが取得した判定情報を収集する（Ｓ１２１）。上述の通り、情報提供手段３０i(i=1,…,n)が判定情報を提供する方法は、その情報提供手段３０iが収集する判定情報の種類によって異なるため、情報受信部１２０は、情報提供手段３０iが判定情報を提供する方法に応じて、判定情報を収集する。すなわち、情報受信部１２０は、情報提供手段３０iが判定情報をプッシュする場合には、プッシュされてきた判定情報を受信する。情報提供手段３０iが取得要求に応じて現在の判定情報を提供する場合には、あらかじめ定められた間隔で定期的に情報提供手段３０iに対して判定情報の取得要求を送信する。
【００２６】
情報受信部１２０は、現在の判定情報を判定情報記憶部１６０へ記憶する（Ｓ１２２）。判定情報を記憶する契機は、情報提供手段３０1〜３０nのいずれかから判定情報を取得した時に都度記憶するように構成してもよいし、所定の間隔毎にすべての判定情報を最新の値に更新して記憶するように構成してもよい。
【００２７】
図５に判定情報記憶部１６０に記憶される判定情報の一例を示す。上述のように、この実施形態では判定情報記憶部１６０をＲＡＭとして構成した場合を例として説明する。したがって、判定情報記憶部１６０に記憶される情報は、判定情報の種類を表す情報名１６１と判定情報の現在値を表す値１６２により構成される対応表としてＲＡＭ上に展開される。対応表のレコード１６０１は、現在の時刻が「7:31」であることを表している。レコード１６０２は、現在の平均利用間隔が「5.1秒」であることを表している。レコード１６０３は、現在の運行状況が「平常」であることを表している。レコード１６０４は、現在の天候情報が「雨」であることを表している。
【００２８】
読取手段１１０は、ICチップ２１０の情報を読み取る（Ｓ１１０）。読取手段１１０は常時もしくは一定の条件下で、無線もしくは有線の起動信号を送出する。ICチップ２１０は、個々に固有のIDを記憶しており、読取手段１１０の送出する起動信号を検知することで、その固有のIDを読取手段１１０に対して送出する。読取手段１１０は、ICチップ２１０の送出した固有のIDを受信する。続いて、受信したICチップ２１０の固有のIDを出力する。読取手段１１０がICチップ２１０の情報を読み取る方法の詳細は、ICチップ２１０と読取手段１１０の採用する通信規格に準じる。
【００２９】
状況判定部１３０は、読取手段１１０がICチップ２１０の固有のIDを出力することを契機として状況判定を行う（Ｓ１３０）。状況判定とは、判定情報記憶部１６０に記憶されている現在の判定情報が、判定規則記憶部１７０に記憶されているいずれかの判定条件に合致するか否かを判定する手続きである。状況判定部１３０が現在の判定情報を取得する方法は、情報受信部１２０から受信してもよいし、状況判定部１６０を直接参照するようにしてもよい。判定情報記憶部１６０の構成により適切な方法を選択することができる。現在の判定情報が、いずれかの判定条件に合致する場合には、その合致した判定条件に関連付けられた音源識別子を抽出する。図３および図５を参照して具体的に説明すると、現在の時刻は「7:31」であり、現在の平均利用間隔は「5.1秒」であり、現在の運行状況は「平常」であり、現在の天候情報は「雨」であるから、時刻が「7:00から9:00まで」であり、平均利用間隔が「3秒以上6秒未満」であり、運行状況が「平常」であり、天候情報が「雨」であるレコード１７０３の判定条件に合致する。したがって、この例では、抽出される音源識別子は、レコード１７０３の音源識別子に設定されている「003」となる。
【００３０】
音源選出部１４０は、状況判定部１３０の出力する音源識別子に関連付けて記憶されている音源情報を、音源情報記憶部１８０から取得する（Ｓ１４０）。図４の例では、音源識別子に「003」が設定されているレコード１８０３において、音源情報に設定されている「003.wav」をファイル名として取得する。次に、音源選出部１４０は、あらかじめ設定されたディレクトリから音源情報として示されたファイル名を持つ音源データファイルを取得して出力する。
【００３１】
音源再生部１５０は、音源選出部１４０の出力する音源データファイルを音声信号に変換して、発音手段１９０に送出する（Ｓ１５０）。発音手段１９０は、入力された音声信号を音声に変換して周囲へ発音する。発音手段１９０は、典型的にはスピーカーである。
【００３２】
＜効果＞
この実施形態の音再生装置１０は、情報提供手段３０1〜３０nが取得して情報受信部１２０が収集した判定情報が、あらかじめ定められた判定条件に合致する場合に、再生する帰還音を制御することができる。ここで、現実に混雑している状況を示す判定条件には、利用者の性急な行動を抑制する効果のある帰還音を設定し、現在は比較的混雑していないが今後の混雑が予想される状況を示す判定条件には、利用者のスムースな行動を誘導する効果のある帰還音を設定するなど、周囲の状況に即した適切な帰還音を設定することができる。このように、音再生装置１０は、周囲の状況に応じて再生する帰還音を制御することで利用者の行動を誘導することができる。その結果、音再生装置１０が利用されている施設の安定運営に寄与することができる。
【００３３】
［プログラム、記録媒体］
この発明は上述の実施形態に限定されるものではなく、この発明の趣旨を逸脱しない範囲で適宜変更が可能であることはいうまでもない。上記実施例において説明した各種の処理は、記載の順に従って時系列に実行されるのみならず、処理を実行する装置の処理能力あるいは必要に応じて並列的にあるいは個別に実行されてもよい。
【００３４】
また、上記実施形態で説明した各装置における各種の処理機能をコンピュータによって実現する場合、各装置が有すべき機能の処理内容はプログラムによって記述される。そして、このプログラムをコンピュータで実行することにより、上記各装置における各種の処理機能がコンピュータ上で実現される。
【００３５】
この処理内容を記述したプログラムは、コンピュータで読み取り可能な記録媒体に記録しておくことができる。コンピュータで読み取り可能な記録媒体としては、例えば、磁気記録装置、光ディスク、光磁気記録媒体、半導体メモリ等どのようなものでもよい。
【００３６】
また、このプログラムの流通は、例えば、そのプログラムを記録したＤＶＤ、ＣＤ−ＲＯＭ等の可搬型記録媒体を販売、譲渡、貸与等することによって行う。さらに、このプログラムをサーバコンピュータの記憶装置に格納しておき、ネットワークを介して、サーバコンピュータから他のコンピュータにそのプログラムを転送することにより、このプログラムを流通させる構成としてもよい。
【００３７】
このようなプログラムを実行するコンピュータは、例えば、まず、可搬型記録媒体に記録されたプログラムもしくはサーバコンピュータから転送されたプログラムを、一旦、自己の記憶装置に格納する。そして、処理の実行時、このコンピュータは、自己の記録媒体に格納されたプログラムを読み取り、読み取ったプログラムに従った処理を実行する。また、このプログラムの別の実行形態として、コンピュータが可搬型記録媒体から直接プログラムを読み取り、そのプログラムに従った処理を実行することとしてもよく、さらに、このコンピュータにサーバコンピュータからプログラムが転送されるたびに、逐次、受け取ったプログラムに従った処理を実行することとしてもよい。また、サーバコンピュータから、このコンピュータへのプログラムの転送は行わず、その実行指示と結果取得のみによって処理機能を実現する、いわゆるＡＳＰ（Application Service Provider）型のサービスによって、上述の処理を実行する構成としてもよい。なお、本形態におけるプログラムには、電子計算機による処理の用に供する情報であってプログラムに準ずるもの（コンピュータに対する直接の指令ではないがコンピュータの処理を規定する性質を有するデータ等）を含むものとする。
【００３８】
また、この形態では、コンピュータ上で所定のプログラムを実行させることにより、本装置を構成することとしたが、これらの処理内容の少なくとも一部をハードウェア的に実現することとしてもよい。
【符号の説明】
【００３９】
１０  音再生装置
２０  ICチップ埋込媒体
３０1〜３０n  情報提供手段
１１０  読取手段
１２０  情報受信部
１３０  状況判定部
１４０  音源選出部
１５０  音源再生部
１６０  判定情報記憶部
１７０  判定規則記憶部
１８０  音源情報記憶部
１９０  発音手段
２１０  ICチップ
【図１】
2013246280.tif 000003
【図２】
2013246280.tif 000004
【図３】
2013246280.tif 000005
【図４】
2013246280.tif 000006
【図５】
2013246280.tif 000007